(57)【要約】  本発明は、荷重担持外壁（２）と、遮蔽パネル（３１）から形成された遮蔽層（３）と、ファサード外装部（４）とを有する裏面換気建物ファサード（１）であって、ファサード外装部（４）が、裏面換気空隙（５）を形成するように、遮蔽層（３）から離隔した位置に荷重担持構造を用いて装着され、裏面換気空隙（５）が、ミネラルウールパネルとして構成された少なくとも１つの防火障壁（６）によって垂直方向に中断されている、裏面換気建物ファサード（１）に関する。裏面換気建物ファサード（１）は、少なくとも１つの防火障壁（６）が、裏面換気空隙（５）の幅全体に亘って延在し、少なくとも１つの防火障壁（６）が、裏面換気空隙（５）の領域に、垂直方向に延在する少なくとも１つの開口を有することを特徴とする。本発明は、裏面換気建物ファサード（１）を製造する方法をさらに提供する。
2021516735.tif 000002
【特許請求の範囲】
【請求項１】
荷重担持外壁（２）と、遮蔽パネル（３１）から形成された遮蔽層（３）と、ファサード外装部（４）とを有する裏面換気建物ファサード（１）であって、前記遮蔽層（３）が、前記外壁（２）に固定され、前記ファサード外装部（４）が、裏面換気空隙（５）を形成するように、前記遮蔽層（３）から離隔した位置に荷重担持構造を用いて装着され、前記裏面換気空隙（５）が、ミネラルウールパネルとして構成された少なくとも１つの防火障壁（６、６’）によって垂直方向に中断されている、裏面換気建物ファサード（１）において、
前記少なくとも１つの防火障壁（６、６’）が、前記裏面換気空隙（５）の深さ全体に亘って延在し、
前記少なくとも１つの防火障壁（６、６’）が、前記裏面換気空隙（５）の領域に、垂直方向に延在する少なくとも１つの開口を有する
ことを特徴とする、裏面換気建物ファサード（１）。
【請求項２】
前記防火障壁（６）が、一様に分布する孔（６２）の形の開口を有することを特徴とする、請求項１に記載の建物ファサード。
【請求項３】
前記防火障壁（６’）が、縁部に配置された規則的な陥凹（６３）の形の開口を有することを特徴とする、請求項１または２に記載の建物ファサード。
【請求項４】
１リニアメートル当たりの前記開口の合計面積が、８０ｃｍ2以下、好ましくは７０ｃｍ2以下であり、かつ／または６０ｃｍ2以上であることを特徴とする、請求項１から３のいずれか一項に記載の建物ファサード。
【請求項５】
前記防火障壁（６）が、２ｃｍ〜１０ｃｍ、好ましくは３ｃｍ〜５ｃｍの厚さを有することを特徴とする、請求項１から４のいずれか一項に記載の建物ファサード。
【請求項６】
前記防火障壁（６、６’）が、６０ｋｇ／ｍ3〜３００ｋｇ／ｍ3、好ましくは８０ｋｇ／ｍ3〜２００ｋｇ／ｍ3、とりわけ約１００ｋｇ／ｍ3〜１５０ｋｇ／ｍ3の見かけ密度を有することを特徴とする、請求項１から５のいずれか一項に記載の建物ファサード。
【請求項７】
前記防火障壁（６、６’）が、前記ファサード外装部（４）から前記遮蔽層（３）の中に延在し、好ましくは、前記ファサード外装部（４）から前記遮蔽層（３）を貫通して前記外壁（２）まで延在することを特徴とする、請求項１から６のいずれか一項に記載の建物ファサード。
【請求項８】
前記防火障壁（６、６’）の前記ミネラルウールが、層状繊維構造を有することを特徴とする、請求項１から７のいずれか一項に記載の建物ファサード。
【請求項９】
前記防火障壁（６、６’）が、発泡性防炎塗料を有することを特徴とする、請求項１から８のいずれか一項に記載の建物ファサード。
【請求項１０】
前記遮蔽層（３）の前記遮蔽パネル（３１）が、ミネラルウールから形成されることを特徴とする、請求項１から９のいずれか一項に記載の建物ファサード。
【請求項１１】
防火障壁（６、６’）が、前記建物の全ての階に配置されることを特徴とする、請求項１から１０のいずれか一項に記載の建物ファサード。
【請求項１２】
前記遮蔽層（３）が、複数のファサード遮蔽パネル（３１）から形成され、それにより、前記防火障壁（６、６’）が、垂直に隣接する２つのファサード遮蔽パネル（３１）間に配置され、好ましくは係止されることを特徴とする、請求項１から１０のいずれか一項に記載の建物ファサード。
【請求項１３】
少なくとも、前記防火障壁（６、６’）の直ぐ上のファサード遮蔽パネル（３１）層の前記ファサード遮蔽パネル（３１）が、垂直に摺動可能に前記外壁（２）に固定されることを特徴とする、請求項１２に記載の建物ファサード。
【請求項１４】
請求項１から１３のいずれか一項に記載の裏面換気建物ファサードを製造する方法において、
荷重担持構造を荷重担持外壁（２）に固定するステップと、
遮蔽パネル（３１）から形成された遮蔽層（３）を前記外壁（２）に固定するステップと、
前記遮蔽層（３）に少なくとも１つのスロット（３２）を形成するステップと、
ミネラルウールパネルとして構成された少なくとも１つの防火障壁（６、６’）を前記スロット（３２）に挿入するステップと、
裏面換気空隙（５）を形成するために、前記遮蔽層（３）から離隔した位置にファサード外装部（４）を配置するように、前記荷重担持構造に前記ファサード外装部（４）を装着するステップと
を特徴とし、
前記少なくとも１つの防火障壁（６、６’）が、前記裏面換気空隙（５）の深さ全体に亘って延在し、
前記少なくとも１つの防火障壁（６、６’）が、垂直方向に延在し前記裏面換気空隙（５）の領域に入る少なくとも１つの開口を有する、方法。
【請求項１５】
平に張られた前記遮蔽層（３）に切目を入れることによって前記遮蔽層（３）に前記少なくとも１つのスロット（３２）を形成し、前記スロット（３２）の領域の前記遮蔽材を、好ましくは取り除くことを特徴とする、請求項１４に記載の方法。
【請求項１６】
前記遮蔽層（３）の前記遮蔽パネル（３１）を、垂直に隣接する遮蔽パネル（３１）間に前記少なくとも１つのスロット（３２）が得られるように、相互に離隔する位置に装着することを特徴とする、請求項１４に記載の方法。
【請求項１７】
前記少なくとも１つの防火障壁（６、６’）を、対応する前記スロット（３２）に所定の範囲まで挿入し、好ましくは、前記遮蔽層（３）全体を貫通して前記外壁（２）に至るまで挿入することを特徴とする、請求項１４から１６のいずれか一項に記載の方法。
【請求項１８】
前記防火障壁（６、６’）を、前記スロット（３２）に押し込み、または垂直に隣接する２つのファサード遮蔽パネル（３１）間に係止することを特徴とする、請求項１４から１７のいずれか一項に記載の方法。
【発明の詳細な説明】
【技術分野】
【０００１】
本発明は、荷重担持外壁と、遮蔽パネルから形成された遮蔽層と、ファサード外装部とを有する裏面換気建物ファサードであって、遮蔽層が、外壁に固定され、ファサード外装部が、裏面換気空隙を形成するように、遮蔽層から離隔した位置に荷重担持構造を用いて配置され、裏面換気空隙が、ミネラルウールパネルとして構成された少なくとも１つの防火障壁によって垂直方向に中断されている、裏面換気建物ファサードに関する。本発明は、さらに、裏面換気建物ファサードに関する。
【背景技術】
【０００２】
建物のファサードの設計に関する様々な構造は、実際によく知られている。商用建物で特に用いられる変形形態は、いわゆる裏面換気カーテンファサードによって代表され、そのファサードは、それで覆われた荷重担持壁に対して特に良好な保護機能を有し、設計の可能性についても特に良好な効能を有する。
【０００３】
そのような裏面換気外壁外装部は、荷重担持壁上に配置され、ファサード外装部と、裏面換気空隙を形成するようにファサード外装部を保持する荷重担持構造と、任意選択で、荷重担持外壁に固定された熱遮蔽層とを備える。ファサード外装部は、空き継ぎもしくは密着継ぎ、要素の相互重なり合いなどを有する。荷重担持構造は、通例、金属から構成されるが、木材などから製作されることもある。荷重担持構造は、通常、水平または垂直に延在する担持レールを備え、その担持レールは、建物壁に連結される。熱遮蔽層は、発泡プラスチック、結合ミネラルウール、または他の既知の遮蔽材から構成することができる。裏面換気空隙は、この場合、熱遮蔽層の外側とファサード外装部との間に形成される。
【０００４】
この壁構成では、遮蔽部とファサード外装部とが構造上相互に分離されているので、壁および遮蔽部は、湿気、熱、冷気、風などから保護されている。さらに、存在し得る湿気を確実にそこで除去することができる空間が、裏面換気空隙によって存在する。同時に、熱遮蔽層は、それ自体の荷重を超える荷重担持機能は有さず、したがって、熱および／または音の遮蔽に関して最適化することができる。
【０００５】
視覚的態様もまた、裏面換気ファサードの上記の技術的利点に伴う。ファサード外装部は、通例、高度に固められたミネラル繊維パネル、金属パネルなどのような、個々の曲げ剛性の高いパネル要素から形成される。これらパネル要素は、たとえばねじ連結、接合、またはリベット止めによって、荷重担持構造に確実に連結される。他方において、この連結は、また、外装パネルの縁の後ろに延在する荷重担持構造によって、ポジティブロッキング方式で確立することもできる。したがって、ファサード外装部の外観を建物の特性および固有の建築様式と個々に調和させることが可能になる。これは、通例、まさに商用建物の場合に特に望ましいが、高層建築物などでも望ましい。
【０００６】
しかしながら、そのような裏面換気ファサードの欠点は、裏面換気空隙が、ファサードに火災が発生したとき一種の煙突として作用し得ることである（煙突効果）。したがって、そのようなタイプの構造では防火に注意が払われる。
【０００７】
Ｄｅｕｔｓｃｈｅｓ  Ｉｎｓｔｉｔｕｔ  ｆｕｒ  ｂａｕｔｅｃｈｎｉｋ（ドイツ構造技術協会）の技術的建築規準に準拠すると、水平防火障壁は、１階置きに裏面換気空隙内に配置することになる。水平防火障壁は、通例、壁とファサード外装部との間に設置することになる。遮蔽層とファサード外装部との間の設置は、熱遮蔽部が外側に配置され、その遮蔽材が火災に際し寸法的に安定であり、１，０００℃より高い融点を有する場合に、十分となる。荷重担持構造が可燃性建築材料から構成されている場合、その荷重担持構造は、水平防火障壁の領域で完全に遮断しなければならない。一方、これは、たとえば金属から構成された荷重担持構造の場合にも利点があり、異なる構成要素の長手方向の熱膨張に基づくシステム内の応力を防止するための常套手段に当たる。
【０００８】
防火障壁は、裏面換気空隙の垂直方向の断面積を減少させ、火炎のこの方向の拡散を防止するのに使用される。ただし、同時に、防火障壁は、空気の通風を可能にさせ続け、それにより湿気を除去するために、裏面換気空隙を完全には閉鎖しない。
【０００９】
防火障壁は、少なくとも３０分を超える十分な寸法安定性を有さなければならず、したがって、１ｍｍより厚い鋼板の設置が、技術的建築規準によって提唱される。この鋼板は、裏面換気空隙を部分的に覆い得、それによって裏面換気のための残余空隙を残し、または、鋼板は裏面換気空隙を完全に覆って延在し得、ただしその場合、鋼板は穿孔され得る。残余空隙または開口の大きさは、この場合、合計１００ｃｍ2／リニアメートルに制限されることになる（モデル管理規定−技術的建築規準（ＭＶＶ  ＴＢ）付則６、４．３）。
【００１０】
他方、ＤＩＮ  １８５１６−１：２０１０−０６、セクション４．２では、残余空隙または開口の大きさの下限を、空気通風要件に適合するために、少なくとも合計５０ｃｍ2／リニアメートルであるべきと設定する。
【００１１】
そのような防火障壁の例は、文書ＤＥ２０２０１２１００４１８Ｕ１に見ることができる。この従来技術の裏面換気ファサードでは、グラスウールまたはミネラルウールなどの繊維材から構成される遮断要素が、防火障壁として用いられる。この遮断要素は、遮蔽層の表面を越えてファサード外装部の方向に延出し、ファサード外装部に対して残余空隙を換気空隙として残す。遮断要素は、圧縮性かつ／または可撓性構成を有し、正常な場合にはプレストレス下にある。このことが、火災の場合に遮断要素が残余空隙を閉鎖することを可能にする。遮断要素は、このために、たとえばスペーサ要素によって２部分構成を有し、そのスペーサ要素が、長期間に亘って繊維材を圧力下に維持する。しかし、火災が発生すると、スペーサ要素が、燃えかつ／または溶解し、繊維材を解放する。繊維材が、圧縮解除され、ファサード外装部に対する空隙、すなわち裏面換気空隙を完全に閉鎖する。
【００１２】
しかしながら、防火障壁のこのタイプの構成は、圧縮が解除された場合に、長期間に亘る繊維障壁用の繊維材の確実な復元力を必要とする。しかし、これは、実際には不可能に近い。万一火災がその建物で発生するとしても、２０または３０年後にはじめて起こることになり得る。まさに風雨の影響下でも、裏面換気空隙を確実に閉鎖することができる十分なプレストレスが、繊維材にまだ存在するか否かは疑問である。さらに、これら従来技術の防火障壁の構築は、複雑かつ費用が掛かる。
【００１３】
ＥＰ３１８１７７８Ａ１は、裏面換気建物ファサードを示す。防火障壁は、ファサード外装部を形成する垂直に隣接するパネル間に配置されている。防火障壁内の換気チャネルが、ファサード外装部の換気チャネルに相当する。したがって、そのような防火障壁は煙突効果を防止しないので、効果的な防火障壁は実現されない。
【先行技術文献】
【特許文献】
【００１４】
【特許文献１】ＥＰ３１８１７７８Ａ１
【発明の概要】
【発明が解決しようとする課題】
【００１５】
したがって、本発明の基本的目的は、費用効果的な構成を用いて長持ちする防火を達成することができるように、このクラスの裏面換気建物ファサードを改良することである。
【課題を解決するための手段】
【００１６】
この目的は、請求項１の特徴を有する裏面換気建物ファサードによって達成される。このファサードは、少なくとも１つの防火障壁が、裏面換気空隙の深さ全体に亘って延在し、その少なくとも１つの防火障壁が、裏面換気空隙の領域に、垂直方向に延在する少なくとも１つの開口を有することを特徴とする。
【００１７】
それによって、本発明は、関連する現行技術の構造原理を退け、防火障壁の母材のいずれの種類の膨張または応力緩和運動も排除する。したがって、本発明によれば、繊維材のエージングの進行は、防火の確立および維持になんら影響しない。
【００１８】
このため、本発明によれば、少なくとも１つの防火障壁が、最初から裏面換気空隙の深さ全体に亘って延在し、それによってこの空隙自体を閉鎖することが基本になる。したがって、防火障壁は、火災の場合に初めてこの位置に達する必要はなく、最初から既にこの位置にある。ただし、それにも拘わらず、裏面換気空隙内の空気の通風は、防火障壁内に垂直方向に延在する少なくとも１つの開口を通して可能になる。
【００１９】
これに関して、本発明によれば、防火障壁に設けられた少なくとも１つのそのような開口が、一方で、十分な換気を確保するのに完全に十分であり、他方で、火災の拡大を十分に防止することが確認された。すなわち、火炎の拡大を防火障壁で防止することができ、十分な防火を達成することができる。本発明の過程で実施した実用試験が、これを確証した。
【００２０】
別の利点は、ミネラルウールから構成される防火障壁が、本発明によれば、単純なパネル状構成を有し得、したがって、極めて費用効果的に入手しかつ建物ファサードに装着することができることである。
【００２１】
ドイツ建築技術協会の技術的建築規準は、個々の開口が一様に分布する防火障壁の使用を提唱するものの、しかし、それによって意味するのは、ミネラルウールパネルとして構成された防火障壁ではなく、ｍｍ範囲の厚さを有する穿孔鋼板である。それゆえ、在来の鋼板の個々の孔は、実際的観点から、技術的に妥当な深さを欠き、その結果、火災は、十分にそれら孔を通って確実に広がり得る。本発明によって提供される、ミネラルウールパネルから構成された防火障壁は、対照的に、その構造の結果としてある程度のパネル厚さを有する。したがって、個々の開口は、深さの浅い孔ではなく、チャネルのタイプであり、そのタイプは、火炎が広がるのを大幅に防止する。
【００２２】
本発明による裏面換気建物ファサードの有利な変形形態が、従属請求項２から１３の主題である。
【００２３】
すなわち、防火障壁が、一様に分布する孔の形の開口を有し得る。裏面換気空隙は、このように、通常の使用中に生じ得る湿気を確実に除去するために十分な換気面積を有する。それにより、本発明による裏面換気建物ファサードは、長期間に亘って裏面換気機能を確実に果たすことができ、したがって、長い耐用寿命を特徴とする。さらに、そのような一様に分布する孔は、フライス加工、打抜加工などによって問題なくかつ費用効果的に防火障壁に設けることができる。
【００２４】
１リニア／延メートル当たりの開口の合計面積は、８０ｃｍ2以下、好ましくは７０ｃｍ2以下であり得る。さらに、１リニア／延メートル当たりの開口の合計面積は、６０ｃｍ2以上であり得る。試験は、この値が、本発明によって得られる防火性をさらに改善することを立証した。
【００２５】
また、その代わりにまたはそれに加えて、防火障壁は、２ｃｍ〜１０ｃｍの厚さを有することが可能である。そのような寸法を有するミネラルウールパネルは、簡単に製造し、取り扱い、建物ファサードに装着することができる。同時に、それによって、開口は、火炎が広がるのを確実に防止する十分な深さを有する。好ましいタイプの構成では、防火障壁は、３ｃｍ〜５ｃｍの厚さを有し、それによって、実際に必要な防火を、ほとんどの場合、確実に達成することができる。
【００２６】
さらに、防火障壁が、６０ｋｇ／ｍ3〜３００ｋｇ／ｍ3の見かけ密度を有すれば有利であることが判明した。このように構成された防火障壁は、防火障壁として働くことが可能な十分な本質的安定性を有し、さらに、火炎の作用に対して好適な耐性を有し、その結果、十分に長期間に亘る耐性がある。防火障壁は、ここで、好ましくは８０ｋｇ／ｍ3〜２００ｋｇ／ｍ3の見かけ密度を有する。目指す用途にとってこの範囲が特に好適であることが分かる。防火障壁が１００ｋｇ／ｍ3〜１５０ｋｇ／ｍ3の見かけ密度を有すれば、特に好ましい。
【００２７】
別のタイプの構成では、防火障壁が、ファサード外装部から遮蔽層内に延在することが可能である。ここで、防火障壁は、たとえば係止することによって、簡単かつ費用効果的に固定することができる。さらに、遮蔽層に防火障壁を完全に貫通させることがしばしば不必要なことが、実用試験で示された。したがって、特に遮蔽部厚さが厚い場合、防火障壁が長期間その位置を維持できる長さだけ防火障壁を遮蔽層に挿入すれば十分である。防火障壁の装着は、このように著しく簡単に行うことができる。好ましい変形形態では、他方において、防火障壁が、ファサード外装部から外壁まで延在する。この場合、防火障壁は、外壁で特に確実に保持され、接合によって外壁に固定することもできる。さらに、ここで、防火障壁は、通常、耐火性がより低い遮蔽層を、有利には貫通する。その結果、防火障壁の防火効果は、さらに一層著しく向上する。したがって、建物ファサードは全体として、より高度な火災等級に類別することができる。
【００２８】
別の利点は、防火障壁のミネラルウールが、防火障壁の大きな表面との関連で層状繊維構造を有することである。ここで、繊維が壁に直交し、そのことは、熱遮蔽効果に関しては不利であるものの、防火障壁の安定性に関しては有利である。それによって、防火障壁の寸法安定性および防火効果を、長期間に亘り確保することができる。繊維のこの配向は、防火障壁の上に配置された裏面換気ファサードの要素に火が向かう場合、より優れた熱遮蔽を生じ、さらに、裏面換気空隙内に生じ得る風雨の影響から防火障壁をより良く防護する。
【００２９】
さらに、防火障壁は、発泡性防炎塗料を有することが可能である。この塗料は、熱作用の下に著しく膨張し、その結果、火災の場合、防火障壁の防護効果がさらに一層向上する。特に、これによって、ファサード外装部に向かう境界面に不均一性などによって残る可能性のある空きスペースを、確実かつ完全に閉鎖することができるので、火炎が広がるのをさらに一層確実に防止することができる。さらに、防火障壁の少なくとも１つの開口を部分的または完全に閉鎖するように、塗料を配置することも可能である。本発明による建物ファサードは、このように、著しく向上した防火効果を実現することができる。
【００３０】
遮蔽層の遮蔽パネルをミネラルウールから製作すると、特に良好な防火特性を達成することができる。さらに、良好な熱および音遮蔽特性を同様に達成することができる。
【００３１】
試験が、ドイツ建築技術協会の技術的建築規準に反して、防火障壁を建物の全ての階に配置することが好ましいことを示した。
【００３２】
通常、遮蔽層は、複数のファサード遮蔽パネルから形成される。そのような場合、防火障壁は、垂直に隣接する２つのファサード遮蔽パネル間に配置し、好ましくは係止することができる。これは、防火障壁を装着する極めて容易かつ効率的方法である。これは、少なくとも、防火障壁の直ぐ上のファサード遮蔽パネル層のファサード遮蔽パネルを、垂直に摺動可能に外壁に固定することによって、さらに一層改善することができる。防火障壁を装着するために、これらファサード遮蔽パネルを上方にずらし、次いで、防火障壁を挿入し、最後にファサード遮蔽パネルを再び下げ、特に、それによって、防火障壁を垂直に隣接するファサード遮蔽パネル間に係止する。
【００３３】
本発明の別の態様によれば、特に本発明によって構成された裏面換気建物ファサードを製造する方法が、請求項１４によって提供される。この方法は、荷重担持構造を荷重担持外壁に固定するステップと、遮蔽パネルから形成された遮蔽層を外壁に固定するステップと、遮蔽層に少なくとも１つのスロットを形成するステップと、ミネラルウールパネルとして構成された少なくとも１つの防火障壁を間隙に挿入するステップと、裏面換気空隙を形成するために、遮蔽層から離隔した位置にファサード外装部を配置するように、荷重担持構造にファサード外装部を固定するステップとを特徴とし、少なくとも１つの防火障壁が、裏面換気空隙の深さ全体に亘って延在し、少なくとも１つの防火障壁が、垂直方向に延在し裏面換気空隙の領域に入る少なくとも１つの開口を有する。
【００３４】
裏面換気建物ファサードは、この方法によって、特に費用効果的、簡単、かつ迅速に製造することができる。同時に、裏面換気建物ファサードは、裏面換気機能を適切に保つと同時に、特に良好な耐火性を特徴とする。
【００３５】
本発明による方法の有利な変形形態が、従属請求項１５から１８の主題である。
【００３６】
すなわち、遮蔽層のスロットを、平らに張られた遮蔽層に切目を入れることによって形成することができる。本発明によれば、遮蔽層の装着は、防火障壁の装着から分離されている。したがって、最初のステップにおいて遮蔽層を外壁上に全面に亘って配置することが可能になり、時間の掛かる個々の遮蔽パネルの切断をできるだけ回避することが可能になる。その場合、スロットは、たとえばナイフ、鋸などを用いて、遮蔽層の適切な位置に作り込む。防火障壁の挿入を容易にするために、スロットの領域の遮蔽材を、好ましくは取り除く。この手順は、装着を特に簡単かつ迅速に実施することを可能にする。
【００３７】
他方において、代替形態として、垂直に隣接する遮蔽パネル間にスロットが得られるように、遮蔽層の遮蔽パネルを、相互に離隔する位置に張ることも可能である。それによって、その後に遮蔽層に切目を入れることによってスロットを生成することをなくすことができる。
【００３８】
さらに、少なくとも１つの防火障壁を、対応するスロットに所定の範囲だけ挿入すれば有利である。この場合、スロットに遮蔽層の全体厚さを貫通させる必要はなく、それによって、装着がさらに簡略化されることになる。他方において、好ましい実施形態では、防火障壁を、遮蔽層全体を貫通して外壁に至るまで挿入することも可能である。ここで、防火障壁は、遮蔽層内に特に確実に保持することができる。さらに、この場合、遮蔽層が完全に中断され、それは、防火効果に関して有利であり、その理由は、遮蔽層の遮蔽パネルは、通常、熱および／または音遮蔽に関しては最適化されているが、防火に関しては最適化されていないからである。
【００３９】
防火障壁を、スロットに押し込み、または垂直に隣接する２つのファサード遮蔽パネル間に係止すれば、建物ファサードでの防火障壁の特に確実な保持を達成することができる。その結果、ファサードの信頼性および耐久性が著しく向上する。
【００４０】
本発明が、図面に基づいて、より詳細に以下に説明される。
【図面の簡単な説明】
【００４１】
【図１】本発明の第１の実施形態による裏面換気建物ファサードの概略側面図である。
【図２】第１の実施形態による防火障壁の透視図である。
【図３】第２の実施形態による防火障壁の透視図である。
【図４】本発明の別の実施形態による裏面換気建物ファサードの概略側面図である。
【発明を実施するための形態】
【００４２】
図１の図によれば、建物ファサード１は、荷重担持外壁２を有する。遮蔽層３が、接着剤および／またはダウエルを用いて、それ自体通常の方式で外壁２の外側に固定されている。さらに、建物ファサード１は、図を簡単にするために示されていないが、金属製の荷重担持構造を有し、その荷重担持構造は、外壁２に固定されている。荷重担持構造は、ファサード外装部４を保持し、外壁２の遮蔽層３とファサード外装部４との間に裏面換気空隙５を形成する。
【００４３】
遮蔽層３は、良好な熱遮蔽特性を有する複数の遮蔽パネル３１から構成される。たとえば、ある熱伝導率を有するファサード遮蔽パネルＷＬＧ０３５が、これに適する。これらパネルは、極めて低い熱伝導率、したがって優れた熱遮蔽性を有し、良好な防火性を提供する。１，０００℃以上の融点および約２５ｋｇ／ｍ3の見かけ密度を有する不燃性遮蔽パネル、ユーロクラスＡ１を、例示的実施形態では使用する。
【００４４】
さらに、建物ファサード１は、複数の防火障壁６を有し、その防火障壁６は、ミネラルウールパネルとして構成され、裏面換気空隙の水平防火障壁として使用され、その防火障壁６の１つが、より詳細に図２に示される。これら防火障壁６は、ドイツ建築技術協会の技術的建築規準によれば、建物の１階置きに、裏面換気空隙５の水平防火障壁として配置される。しかし、試験は、防火障壁６を建物の各階に配置することが好ましいことを示した。
【００４５】
層状繊維配向を有し、１，０００℃を超える融点および約１４０ｋｇ／ｍ3の見かけ密度を有する不燃性（ユーロクラスＡ１）ミネラルウール遮蔽パネルを、この例示的実施形態の防火障壁６として使用する。パネルの厚さは約３ｃｍである。
【００４６】
防火障壁６は遮断本体６１を有し、その遮断本体６１は、外壁２からファサード外装部４まで延在し、それによって遮蔽層３を中断する。防火障壁６は、図示の例示的実施形態では、遮蔽層３のスロット３２内に係止状態で受け止められている。外壁２に対向する遮断本体６１の端部は、外壁に接合され、それによって外壁に固定される。外側端部によって、防火障壁６の遮断本体６１は、ファサード外装部４と接触し、その結果、そこには実質的に空隙は形成されない。遮断本体６１は、層状繊維構造を有し、その結果、繊維は、外壁２に実質的に直交する。
【００４７】
裏面換気空隙５の領域で、防火障壁６は、複数の一様に分布させた孔６２の形の開口を有し、その開口は、裏面換気空隙５内の空気の流れを可能にする。孔６２は、そのために、遮断本体６１の厚さ全体を貫通して延在し、それによって遮断本体の上下の空間を連結する。孔６２により防火障壁６に存在する全開口の規模は、１リニアメートル当たり１００ｃｍ2に制限される。より好ましくは、開口の規模は、１リニアメートル当たり８０ｃｍ2に、とりわけ７０ｃｍ2に制限される。他方、全開口の規模は、好ましくは、１リニアメートル当たり６０ｃｍ2より大きくすべきである。試験では、優れた結果が、１リニア／延メートル当たり６０ｃｍ2の全開口規模によって達成された。
【００４８】
ファサード外装部４は、複数のカバーパネル４１を有し、カバーパネル４１は、高曲げ剛性構成を有し、荷重担持構造に一つ一つ固定される。繊維セメントパネルが、実用試験におけるカバーパネル４１として使用された。
【００４９】
この構成が、本発明の過程で実用試験を受け、成功した。防火障壁６は、３０分の要求時間に亘る試験の終了後、延焼または飛び火を防止した。特に、孔６２を通って送られるエネルギーは、火災を広げさせるのに十分でないことが分かった。
【００５０】
図３は、防火障壁の別の実施形態を示し、その防火障壁は、参照番号６’によって示される。これは、遮断本体６１’および開口の構成において、第１の実施形態による防火障壁とは異なる。
【００５１】
図３に示された図で分かるように、開口は、縁部に配置された規則的陥凹６３の形で構成されている。これは、防火障壁６’の側縁部に挟間状の構造を生じ、その縁部がファサード外装部４に対向する。
【００５２】
図４は、裏面換気建物ファサード１の別の実施形態の概略側面図を示す。
【００５３】
これは、一方で、直前に説明した防火障壁６’が挟間状の側縁部を有して使用される点で、上記の実施形態とは異なる。さらに、防火障壁６’は、遮蔽層３を完全に貫通せずに、遮蔽層３内に所定の範囲まで、この場合、遮蔽層３の厚さ全体の約１／３を超えるまでしか入り込まない。スロット３２は、このために前以て、所望の深さで遮蔽層３に形成され、防火障壁６’が、最後にこのスロットに圧力下で挿入された。防火障壁６’は、このように、遮蔽層３内に係止状態で保持される。
【００５４】
スロット３２は、遮蔽層３の大きな表面に対して直角には形成されず、その表面に対して数度だけ傾けられた。その結果、防火障壁６’は、遮蔽層３から外方へ幾分垂れ下がって行くように遮蔽層３に対して斜めに配置され、それによって、必要なら水を遮蔽層３から遠ざかるように案内する。
【００５５】
裏面換気建物ファサード１を製造する方法を、以下に説明する。
【００５６】
ここで、荷重担持構造を担持外壁２にまず固定する。これを、スクリューおよびダウエルを用いて通常の方式で実施する。次いで、遮蔽層３を外壁２上に積み上げるが、そのために、遮蔽パネル３１を次々とダウエルを用いて接合しかつ／または固定して閉じた遮蔽面を形成する。荷重担持構造の要素は、遮蔽層３が荷重担持構造の要素によって中断される位置でそれに対応して窪ませる。
【００５７】
最後に、スロット３２を、遮蔽層３の所定の位置にナイフなどを用いて挿入する。ここで、具体的には、２つの切目を遮蔽層３の互いに離隔した位置に作り、引き続き、それら切目の間に位置する遮蔽材を取り除く。
【００５８】
その後、防火障壁６および６’をスロット３２に挿入することができ、これを圧力の下に実施するので、それによって、防火障壁６および６’の遮蔽層３内での係止が達成される。
【００５９】
設けるスロット３２の深さは、個々の適用に適合させることができる。スロット３２の深さは、図４に示すように制限してもよい。一方で、スロット３２の深さは、また、遮蔽層３を完全に貫通してもよく、これは図１に示される。また、スロット３２を、垂直に隣接する２つのファサード遮蔽パネル３１の間に形成してもよい。そのような場合、防火障壁６は、垂直に隣接する２つのファサード遮蔽パネル３１間に配置され、好ましくは係止される。少なくとも、防火障壁６および６’の直ぐ上のファサード遮蔽パネル３１の層のファサード遮蔽パネル３１を、垂直に摺動可能なように外壁２に固定してもよい。防火障壁６および６’を装着するために、ファサード遮蔽パネル３１の上側の層を、上方にずらしてスロット３２を形成し、次いで、防火障壁６および６’をスロットに挿入し、最後に、ファサード遮蔽パネル３１を再び下げ、特にそれによって、防火障壁６を、垂直に隣接するファサード遮蔽パネル３１の間に係止する。
【００６０】
防火障壁６および６’が、裏面換気空隙５の深さ全体に亘って延在することが必須である。さらに、図２および３に見ることができるように、防火障壁６および６’は、縁部に配置された一様に分布する孔６２または規則的陥凹６３を、裏面換気空隙５の領域に有する。
【００６１】
最後に、ファサード外装部４を、遮蔽層３から離隔した位置に配置して裏面換気空隙５を形成するように、荷重担持構造に装着する。ここで、防火障壁６および６’は、ファサード外装部と接する。
【００６２】
このようにして、裏面換気建物ファサードが仕上がる。
【００６３】
本発明による裏面換気建物ファサード１は、下記に説明する別の構成原理をさらに可能にする。
【００６４】
すなわち、開口が、防火障壁６に一様に分布して存在する必要はない。開口は、また、縁部に位置する孔６２の形および陥凹６３の形で不規則に、または混合して形成してもよい。
【００６５】
陥凹６３は、図３に示される矩形を有する必要はなく、三角形、半円形、または別の適切な形状を有してもよい。
【００６６】
同様に、孔６２は、円形を有する必要はなく、異なる断面形を有してもよく、細長い孔として構成してもよい。
【００６７】
説明したタイプの構成では、防火障壁６は、約３ｃｍの厚さを有するが、これは必須ではなく、用途に応じて、より薄い、またはより厚い構成を有してもよい。これに関して、２ｃｍ〜１０ｃｍの材質厚さが、特に適切であることが判明している。
【００６８】
説明したものとは異なる、用途に適するミネラルウールパネルもまた、これが適切な防火特性を有する限り、防火障壁６に使用することができる。
【００６９】
すなわち、防火障壁６の見かけ密度が、説明した１４０ｋｇ／ｍ3の値とは異なる値もまた有し得る。６０ｋｇ／ｍ3〜２００ｋｇ／ｍ3の見かけ密度を有するミネラルウールパネルが、好ましくは、使用され、８０ｋｇ／ｍ3の見かけ密度を有する防火障壁６でも、一部の用途には十分であり得る。特定の要件に応じて、たとえば３００ｋｇ／ｍ3の見かけ密度を有する、より重い防火障壁６を使用することもまた可能である。
【００７０】
さらに、また、防火障壁６および６’を遮蔽層３に必ずしも押し込まなくてもよい。防火障壁６および６’は、この場合、たとえば、隙間を有して配置し、接着剤などによって固定してもよい。
【００７１】
これに関連して、必ずしも、防火障壁６を、たとえば接合によって外壁２に固定しなくてもよい。たとえば、遮蔽層のファサード遮蔽パネル３１間での係止効果は、防火障壁６の十分な安定性を確保するのにそれだけ十分であり得る。別法として、防火障壁６を、たとえば適切な固定構成要素、形状などを用いて機械的に固定することもできる。
【００７２】
さらに、必ずしも防火障壁６をミネラルウールから構成しなくてもよい。際立った耐火性のあるグラスウール、またはスラグウールなどでも、防火障壁にやはり使用することができる。
【００７３】
防火障壁６のミネラルウールは、さらに、層状繊維構造を有する必要はない。このミネラルウールは、やはり異なってもよく、特に圧縮した繊維板を使用することも可能である。
【００７４】
さらに、防火障壁６は、発泡性防炎塗料を追加して有することが可能である。これは、防火効果をさらに増強させる。発泡性防炎塗料に加えてまたはその代わりに、脱水添加剤の使用などのような他の防火対策をとることも可能である。
【００７５】
防火障壁６は、裏面換気空隙５に入ってくる水から特に防火障壁６を保護するために、風雨防護を目指した塗料を追加して有することがさらに可能である。
【００７６】
遮蔽層３が十分な防火効果を有する場合、防火障壁６が、遮蔽層３の外側からファサード外装部４までしか延在しなくても、やはり十分であり得る。
【００７７】
防火障壁６は、工場で大きめに製造してもよく、その場合、防火障壁６は、本発明による建物ファサード１に装着する時に、外壁２とファサード外装部４との間の対応する寸法に切断される。この場合、前以て、特別注文の防火障壁６を製造する必要はない。さらに、固有の現場状況への適応が問題なく可能になる。
【００７８】
スロット３２を、遮蔽層３に切り込むことによってこの層に形成する必要はない。その代わりに、遮蔽パネル３１を、装着の過程で、所定位置の遮蔽パネル３１の間の空きスペースとしてスロット３２が得られるように、外壁２上に配置してもよい。
【００７９】
一方で、スロット３２を遮蔽層３に切り込む場合には、その深さは、そのコンクリート建物を占める状況に応じて適切に選択すべきである。
【００８０】
一部の適用では、遮蔽材をスロット３２から取り除くことを必ずしも必要としない。防火障壁６または６’を押し込むとき、遮蔽材を変位させることができることもある。
【００８１】
別法として、スロット３２を、フライス加工で遮蔽層３から母材を取り除くことによって、１工程で形成することもできる。
【００８２】
遮蔽層３のファサード遮蔽パネル３１は、上記のミネラルウール以外の材料から形成することもできる。すなわち、不燃性材料から構成される他の適切な遮蔽繊維板または遮蔽パネルを使用することが可能である。
【図１】
2021516735.tif 000003
【図２】
2021516735.tif 000004
【図３】
2021516735.tif 000005
【図４】
2021516735.tif 000006
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
荷重担持外壁（２）と、
遮蔽パネル（３１）から形成され、前記外壁（２）に固定された遮蔽層（３）と、
裏面換気空隙（５）を形成するように、前記遮蔽層（３）から離隔した位置に荷重担持構造を用いて装着されたファサード外装部（４）と、
ミネラルウールパネルとして構成され、前記裏面換気空隙（５）を垂直方向に中断する少なくとも１つの防火障壁（６、６’）であって、前記裏面換気空隙（５）の深さ全体に亘って延在する防火障壁（６、６’）と
を備える裏面換気建物ファサード（１）において、
前記少なくとも１つの防火障壁（６、６’）が、前記裏面換気空隙（５）の領域に、垂直方向に延在する少なくとも１つの開口（６２、６３）を有し、１リニアメートル当たりの前記少なくとも１つの開口（６２、６３）の合計面積が、１００ｃｍ2以下であることを特徴とする、裏面換気建物ファサード（１）。
【請求項２】
前記防火障壁（６）が、一様に分布する孔（６２）の形の開口を有することを特徴とする、請求項１に記載の建物ファサード。
【請求項３】
前記防火障壁（６’）が、縁部に配置された規則的な陥凹（６３）の形の開口を有することを特徴とする、請求項１または２に記載の建物ファサード。
【請求項４】
１リニアメートル当たりの前記開口の合計面積が、８０ｃｍ2以下、好ましくは７０ｃｍ2以下であり、かつ／または６０ｃｍ2以上であることを特徴とする、請求項１から３のいずれか一項に記載の建物ファサード。
【請求項５】
前記防火障壁（６）が、２ｃｍ〜１０ｃｍ、好ましくは３ｃｍ〜５ｃｍの厚さを有することを特徴とする、請求項１から４のいずれか一項に記載の建物ファサード。
【請求項６】
前記防火障壁（６、６’）が、６０ｋｇ／ｍ3〜３００ｋｇ／ｍ3、好ましくは８０ｋｇ／ｍ3〜２００ｋｇ／ｍ3、とりわけ約１００ｋｇ／ｍ3〜１５０ｋｇ／ｍ3の見かけ密度を有することを特徴とする、請求項１から５のいずれか一項に記載の建物ファサード。
【請求項７】
前記防火障壁（６、６’）が、前記ファサード外装部（４）から前記遮蔽層（３）の中に延在し、好ましくは、前記ファサード外装部（４）から前記遮蔽層（３）を貫通して前記外壁（２）まで延在することを特徴とする、請求項１から６のいずれか一項に記載の建物ファサード。
【請求項８】
前記防火障壁（６、６’）の前記ミネラルウールが、層状繊維構造を有することを特徴とする、請求項１から７のいずれか一項に記載の建物ファサード。
【請求項９】
前記防火障壁（６、６’）が、発泡性防炎塗料を有することを特徴とする、請求項１から８のいずれか一項に記載の建物ファサード。
【請求項１０】
前記遮蔽層（３）の前記遮蔽パネル（３１）が、ミネラルウールから形成されることを特徴とする、請求項１から９のいずれか一項に記載の建物ファサード。
【請求項１１】
請求項１から１０のいずれか一項に記載の裏面換気建物ファサードを製造する方法において、
荷重担持構造を荷重担持外壁（２）に固定するステップと、
遮蔽パネル（３１）から形成された遮蔽層（３）を前記外壁（２）に固定するステップと、
前記遮蔽層（３）に少なくとも１つのスロット（３２）を形成するステップと、
ミネラルウールパネルとして構成された少なくとも１つの防火障壁（６、６’）を前記スロット（３２）に挿入するステップと、
裏面換気空隙（５）を形成するために、前記遮蔽層（３）から離隔した位置にファサード外装部（４）を配置するように、前記荷重担持構造に前記ファサード外装部（４）を装着するステップと
を特徴とし、
前記少なくとも１つの防火障壁（６、６’）が、前記裏面換気空隙（５）の深さ全体に亘って延在し、
前記少なくとも１つの防火障壁（６、６’）が、垂直方向に延在し前記裏面換気空隙（５）の領域に入る少なくとも１つの開口を有する、方法。
【請求項１２】
ａ）平に張られた前記遮蔽層（３）に切目を入れることであって、前記スロット（３２）の領域の前記遮蔽材が好ましくは取り除かれる、切目を入れること、
または
ｂ）前記遮蔽層（３）の前記遮蔽パネル（３１）を、垂直に隣接する遮蔽パネル（３１）間に前記少なくとも１つのスロット（３２）が得られるように、相互に離隔する位置に装着すること
によって前記遮蔽層（３）に前記少なくとも１つのスロット（３２）を形成することを特徴とする、請求項１１に記載の方法。
【請求項１３】
前記少なくとも１つの防火障壁（６、６’）を、対応する前記スロット（３２）に所定の範囲まで挿入し、好ましくは、前記遮蔽層（３）全体を貫通して前記外壁（２）に至るまで挿入することを特徴とする、請求項１１または１２に記載の方法。
【請求項１４】
前記防火障壁（６、６’）を、前記スロット（３２）に押し込み、または垂直に隣接する２つのファサード遮蔽パネル（３１）間に係止することを特徴とする、請求項１１から１３のいずれか一項に記載の方法。
【請求項１５】
防火障壁（６、６’）が、前記建物の全ての階に配置されることを特徴とする、請求項１１から１４のいずれか一項に記載の方法。
【請求項１６】
少なくとも、前記防火障壁（６、６’）の直ぐ上のファサード遮蔽パネル（３１）層の前記ファサード遮蔽パネル（３１）が、垂直に摺動可能に前記外壁（２）に固定されることを特徴とする、請求項１１から１５のいずれか一項に記載の方法。
【国際調査報告】
2021516735.tif 000007
2021516735.tif 000008
2021516735.tif 000009